(57)【要約】      （修正有）【課題】球体、楕円球体、卵型等の略球体の物質を上方から押圧して保持し、持ち上げることができる簡易な機構を提供する。【解決手段】耐熱性部材からなる一対の腕部は一端側が水平または略水平であり、他の一端側は各々長手方向および短手方向に曲面２ａ、２ｂを形成しており、把持部１は対向する一対の腕部が接合されてなり、曲面２ａ、２ｂを対向させて挟み部２を形成し、かつ、挟み部２の先端部において一対の腕部の中心線と略平行となるように形成された返し部３ａ、３ｂを有する構成とした。【選択図】図１
0003225986.tif 000002
【実用新案登録請求の範囲】
【請求項１】
耐熱性部材からなる対向する一対の腕部を用いる球体および略球体のピックアップツールであって，
前記腕部は，一端側が水平または略水平であり，
他の一端側は長手方向および短手方向に曲面を有しており，
前記ピックアップツールは，前記曲面が対向するように前記一端側でそれぞれの前記腕部を接合することで把持部を形成し，
前記対向する曲面で前記球体および略球体を挟む挟み部を形成し，
前記腕部の各々が挟み部の先端部において一対の腕部の中心線と略平行となるように形成された返し部を有する
ことを特徴とする球体および略球体のピックアップツール
【考案の詳細な説明】
【技術分野】
【０００１】
本考案は、球体や，楕円球体，卵型等を含む略球体の物質を容易に持ち上げることができるピックアップツールに関する。
【０００２】
２０１９年１月のゴルフ公式ルール改正により，ボールがグリーン上にある場合でも，カップの旗竿を抜かなくてもプレーすることが許されることとなった。これにより，パッティングの際に旗竿をほかのプレイヤーに抜いてもらうという手間や，旗竿を抜いて他の場所に置いて，パッティング後に差しなおすといった手間を省くことができる。また，旗竿を目印としてパッティングができるようになるというメリットもある。
【０００３】
しかし、旗竿を指したままパッティングをしてカップインした場合，カップインしたボールを取り出すときに刺さったままの旗竿が邪魔になる。特に手の大きい人にとっては，カップに手を入れてボールを取り出そうとすると，カップの外壁で手を傷つけるなどのおそれがある。
【０００４】
ゴルフボールを挟む器具としては，円形状の一部を切断した二股形状をなす，ゴルフボールを挟むための挟み部を有し，この二股部はゴルフボールの外径より小さく形成されているゴルフボールキャッチャーがある（実用新案登録第３２０５６９９号）。しかしながら，かかる器具は，ゴルフボールを上方から押し付けて保持するものではなく，ボールの横方向から挟み部を押し付けてボールを保持するものであり，旗竿を指したままでのカップ内での操作性に劣り，器具によってカップの外壁や旗竿を傷つけるおそれがある。
【先行技術文献】
【非特許文献】
【０００５】
実用新案登録第３２０５６９９号公報
【０００６】
旗竿を指したままカップインしたゴルフボールを，手やカップ内などを傷つけずに取り出すためには，ボールを上方から押圧して保持できる必要があるし，操作性にも優れている。
【０００７】
また，熱湯の入った鍋から殻付きのゆで卵を取り出す場合において，上方からゆで卵を押圧して保持できれば，手を火傷することなく，簡易な操作で取り出すことができ便利である。
【０００８】
上記のゴルフボールや殻付きのゆで卵に限らず，球体，楕円球体，卵型等の略球体の物質を上方から押圧して保持し，持ち上げることができれば，狭い場所や，高温の場所など，手を入れて取り出すことが困難な様々なケースにおいて適用が可能である。
【考案の概要】
【考案が解決しようとする課題】
【０００９】
本考案が解決しようとする課題は、球体，楕円球体，卵型等の略球体の物質を上方から押圧して保持し，持ち上げることができる簡易な機構を提供することである。
【課題を解決するための手段】
【００１０】
本考案は、耐熱性部材からなる対向する一対の腕部を用いる球体および略球体のピックアップツールであって，前記腕部は，一端側が水平または略水平であり，他の一端側は各々長手方向および短手方向に曲面を有しており，前記ピックアップツールは，前記曲面が対向するように前記一端側でそれぞれの前記腕部を接合することで把持部を形成し，前記曲面が対向して前記球体および略球体を挟む挟み部を形成し，前記腕部の各々が挟み部の先端部において一対の腕部の中心線と略平行となるように形成された返し部を有することを特徴とする球体および略球体のピックアップツールである。
【考案の効果】
【００１１】
本考案のピックアップツールは、挟み部の先端部に一対の腕部の中心線と略平行となるような返し部が形成されているため，球体及び略球体を上方から押圧すると，挟み部を形成する一対の腕部が押し開かれ，容易に挟み部に球体及び略球体を挟むことができる。本考案のピックアップツールにおいては，挟み部を形成する一対の腕部が押し開かれたことで生じる反作用力により球体及び略球体と挟み，球体及び略球体と挟み部との間に生ずる摩擦力をもって球体及び略球体を落下しないよう保持するものであるところ，挟み部を形成する各々の腕部は局面を有するように形成されているので，球体や略球体と接する面の表面積が大きくなり，腕部の反作用力が小さくても大きな摩擦力を発生することができる。したがって，挟み部を形成する腕部が容易に押し開かれるようにすることができるので，球体及び略球体を上方から押圧した際に，球体及び略球体に及ぼす反作用力が大きくなり過ぎないようにすることができ，球体及び略球体を傷つけたり，破壊したりすることがない。
【００１２】
また，本考案のピックアップツールは、把持部と挟み部とを有しているので，挟み部のみをカップや鍋などに入れることができ，手を傷つけたりすることがないし，耐熱性部材を用いることにより，手に熱を伝えることがないので，火傷等を防止することができる。
【００１３】
また，本考案のピックアップツールは、球体及び略球体を上方から押圧することにより容易に保持することができるので，操作性に優れているし，手やカップの内部などを傷つけたりすることがない。
【図面の簡単な説明】
【００１４】
【図１】本考案に係るピックアップツール実施例を示す平面図である。
【図２】本考案に係るピックアップツールの実施例を示す側面図である。
【図３】挟み部の先端部方向から見た斜視図である。
【図４】本考案に係るピックアップツールを用いてゴルフボールを保持する際の挟み部及び先端部の動作を示す図である。
【図５】本考案に係るピックアップツールを用いてゴルフボールを保持する際の挟み部及び先端部の動作を示す図である。
【図６】本考案に係るピックアップツールを用いてゴルフボールを保持する際の挟み部及び先端部の動作を示す図である。
【考案を実施するための形態】
【実施例】
【００１５】
図１及び図２のピックアップツールは耐熱性部材からなり，例えばポリカーボネイトなどの耐熱性樹脂を用いることができる。把持部１は対向する一対の腕部１ａ,１ｂをリブによって接合したものであるが，接合方法はリブに限定されるものではない。また，実施例において，一対の腕部１ａ及び１ｂは，把持部の挟み部と反対側の端部においては，接合されているが，これに限られるものではない。把持部の挟み部と反対側の端部は，コード付きリールのコードを通す穴を設けるなど，任意の形状とすることができる。
【００１６】
一対の腕部は，挟み部２において，各々長手方向，短手方向に曲面を有し，対向する曲面２ａ，２ｂにより挟み部２を形成している。一対の腕部は，挟み部の先端部において一対の腕部の中心線Ａと略平行となるように形成された返し部３ａ，３ｂを有する。
【００１７】
図４に示されるように，返し部３ａ，３ｂがゴルフボールに押し当てて，把持部１を持ってゴルフボールの上方から押すようにすると，図５に示されるように，返し部３ａ，３ｂがゴルフボールの形状に沿って移動することにより，挟み部の対向する曲面２ａ，２ｂが押し開かれ，図６に示されるように，ゴルフボールを挟み部２に保持することが可能となる。
【００１８】
このとき，挟み部の対向する曲面２ａ，２ｂの硬さは，ゴルフボールを挟んだ際の反作用力によって生じる摩擦力がゴルフボールを保持するために十分な程度にするとともに，返し部３ａ，３ｂがゴルフボールにより押し開かれる際に，ゴルフボールを傷つけることのないように適宜調整することができる。
【００１９】
本考案に係るピックアップツールは，挟み部の対向する曲面２ａ，２ｂの硬さを適切に調整することにより，ゴルフボールだけでなく，殻付きのゆで卵のピックアップツールとしても応用可能である。
【産業上の利用可能性】
【００２０】
本考案のピックアップツールは、耐熱性部材からなり，球体及び略球体を上方から押圧することにより容易に保持することができるので，狭所においても操作性に優れ，手や対象物等を火傷したり，傷つけたりすることがなく，ゴルフボールのピックアップだけでなく，殻付きゆで卵のピックアップなど，球体及び略球体の様々な対象物のピックアップツールとして利用することが可能である。
【符号の説明】
【００２１】
１            把持部
２            挟み部
２ａ，２ｂ    挟み部の対向する曲面
３ａ，３ｂ    返し部
【図１】
0003225986.tif 000003
【図２】
0003225986.tif 000004
【図３】
0003225986.tif 000005
【図４】
0003225986.tif 000006
【図５】
0003225986.tif 000007
【図６】
0003225986.tif 000008